(57)【要約】      （修正有）【課題】シート交換を効率的に且つ衛生的にした介護用シートおよびシート交換方法を提供する。【解決手段】シート状の不織布に、８５％以上の遠赤外線放射率の機能担持膜を設け、ロールに巻いて保管ロール９として形成する。保管ロール９から介護用シート４を引き出して、必要な量だけ巻いた介護ロール５を形成して設ける。シート敷き詰め時は、介護ロール５をロールアタッチメント１２に装着し、ベッド６の上でロールを転がして介護患者の下を通してシートを広げる。シート交換時は、ロールアタッチメント１２の介護ロール５を転がしながら、介護患者７の下を通して汚れた介護用シート４を巻き取りつつベッドの端まで進める。新規の介護用シート４を、介護用ロール５の上に必要量巻き取り、介護用ロール５を再び元方向へ、ロールアタッチメント１２を使って引っ張りながら、ベッド６の上を転がして敷き詰める。【選択図】図１
2007236900.tif 000002
【特許請求の範囲】
【請求項１】
シート状の不織布（１）の片面全表面に、樹脂系塗料に８５％以上の遠赤外線放射率を有する天然鉱石および金属酸化物の微粉末と銀ゼオライトを配合したものを塗布して、そこに機能担持膜（２）を設け、遠赤外線（１１）の放射を促し、さらに前記不織布の反対側片面全表面にポリエチレンフイルム（３）を設けて、介護用シート（４）に形成する、さらにはこの介護用シート（４）をロールに巻いて、保管ロール（９）として形成した、介護用シートおよびシート交換方法。
【請求項２】
ポリエチレンフイルム（３）を設けた、シート状の不織布（１）の片面全表面に、樹脂系塗料に１５〜４５％の天然ラジウム鉱石微粉末と銀ゼオライトを配合したものを塗布して、そこに機能担持膜（２）を設けてマイナスイオン（１０）を発生させて成る請求項１に記載の、介護用シートおよびシート交換方法。
【請求項３】
請求項１および請求項２記載の保管ロール（９）をベッド（６）の適当なる位置にセットして、さらにこの保管ロール（９）から介護用シート（４）を引き出して、原型復元軟質パイプバー（８）を芯にして、必要な量だけロールに巻いた介護ロール（５）を形成して設ける、そしてこの介護ロール（５）をロールアタッチメント（１２）に装着して、ベッド（６）の上でロールを転がしてシートを広げていき、ベッド（６）にシートを敷き詰め、この介護ロール（５）は保管ロール（９）の反対側  ベッド脇にセットし、このシートの上に介護患者（７）を寝かせる、そしてシート交換の際には、汚れた介護用シート（４）を、ロールアタッチメント（１２）を利用して、介護ロール（５）に巻き取っていき、寝てる介護患者（７）を寝たまま肩を下にして真横に立てて、介護ロール（５）をその脇で止める、そして横に立てた介護患者（７）を元の状態に戻す、この時に介護ロール（５）は介護患者の体重に乗られて柔らかいので、つぶされ再度、介護患者（７）を反対側に同じ要領で横に立ててその介護ロール（５）をさらに転がして、介護患者を元に寝かして巻き取っていき、汚れたシートを巻き取って、ベッドの端に来たら、新規の保管ロール（９）より介護用シート（４）を、ここまで来た介護用ロール（５）で必要量巻き取って、再び元方向へ、ロールアタッチメント（１２）を使って引っ張りながら、ベッド（６）の上を転がして敷き詰めていき、前記の要領で介護患者（７）を動かして、介護ロール（５）をさらに先に転がしていき、元のベッド脇にセットして成る、介護用シートおよびシート交換方法。
【発明の詳細な説明】
【技術分野】
【０００１】  本発明は、病人等のベッドシート交換を効率的、且つ衛生的にするために、不織布を利用して付加した、健康向上にも寄与する技術に関するものである。
【背景技術】
【０００２】  従来は、病院等のベッドシートを交換する際は寝ている患者を持ち上げたり、ベッドから移動させたりして行っている。
【発明の開示】
【発明が解決しようとする課題】
【０００３】  しかし、寝ている患者を持ち上げたり、また移動させることは大変である。さらには患者等の発汗その他により、普通のシートでは細菌類の増殖とか臭気が増える傾向にあり、実に不衛生であった。これら問題点を改善し、より良い簡単なベッドシート交換が出来、さらにはシート自体による衛生効果および健康効果を成すために本発明はなされたのである。
【課題を解決するための手段】
【０００４】  これらの課題を解決する手段として、まず請求項１の記載による発明は、強い遠赤外線（１１）を放射する８５％以上の遠赤外線放射率を有する天然鉱石および金属酸化物の微粉末と銀ゼオライトを配合した樹脂系塗料を、シート状の不織布（１）の片面全表面に塗布して、この部分を機能担持膜（２）として設け、その反対側表面にポリエチレンフイルム（３）を設ける。このようにして形成した、シート状の不織布（１）を介護用シート（４）として、ベッド（６）に敷いて機能担持膜（２）の上に、介護患者が寝たり横たわったりして使用するだけでよい。【０００５】  さらに請求項２の記載による発明は、ポリエチレンフイルム（３）を設けたシート状の不織布（１）の片面全表面に樹脂系塗料に１５〜４５％の天然ラジウム鉱石微粉末を配合したものと銀ゼオライトを塗布して、そこに機能担持膜を設けて、積極的にマイナスイオンを発生させるもので、付加価値をさらに高めたものであり、これも請求項１のごとく形成され使用するものである。【０００６】  次に、このように形成した介護用シート（４）を、さらにロール状に巻いて、保管ロール（９）として形成し、この保管ロール（９）をベッド（６）の適当なる位置（ベッドの脇が良いが）にセットして、さらにこの保管ロール（９）から介護用シート（４）を引き出して、柔らかい素材で介護患者の体重で簡単に潰れるが、体重から解放されるとすぐにパイプ状に復元する、原型復元軟質パイプバー（８）を芯にして、必要な量だけ、それをロールに巻いて介護ロール（５）を形成して設ける。この状態は保管ロール（９）から介護用シート（４）を引き出して、もう一つの介護ロール（５）につながってロール状に巻かれた、介護ロール（５）がベット（６）の長手方向に沿うての端に、置かれた状態でスタンバイしているのである。【０００７】  そして、シート交換等の実施方法として説明すると、この介護ロール（５）にロールアタッチメント（１２）をセットして、ベッド（６）の上でロールを転がしながらシートを広げていき、ベッド（６）にシートを敷き詰める。この介護ロール（５）は保管ロール（９）の反対側ベッド脇にセットし、ロールアタッチメント（１２）はベット（６）の下にでも置いて、このシートの上に介護患者（７）を寝かせるのである。【０００８】  そしてシート交換の際には、汚れた介護用シート（４）を、ロールアタッチメント（１２）で押しながら、介護ロール（５）で巻き取っていき、つまり介護ロール（５）に巻いて行くと云う事は、寝てる介護患者（７）にロールが近づいていくことが、理解出来ると思うが、介護患者のそばに来たらロール巻を止めて、患者は寝たままで肩を下にして真横に立てて起こし、介護ロール（５）を少し巻いてその脇で止める、そして横に立てた介護患者（７）を背中から元の状態に戻す、この時に介護ロール（５）は介護患者の体重に乗られて柔らかいので患者の背中でつぶれた状態になる。またこの時には、ロールアタッチメント（１２）のアームを患者の上を回転させて反対側に倒されるのである。再度、介護患者（７）を今度は反対側の肩を下にして、同じ要領で横に立てて、ロールを患者に乗られていた状態から解放して、介護ロール（５）を引出し��やると、つぶれていたロールが元に復元する。そして患者を寝かして、そして、患者を通過したロールをさらに巻き取って先に進めていき、汚れたシートを巻き取って、ベッドの端に来たら、ロールアタッチメント（１２）を止めて、ここで新規の保管ロール（９）より介護用シート（４）を、手巻きでここまで来た介護用ロール（５）の上から、新規の新しいシートを必要量巻き取る（この状態は使用済みシートの上に手巻きで丁寧に、さらに巻いていく状態を指す）。そして再び介護患者（７）が寝てる方向へ、ロールアタッチメント（１２）で押しながら戻って、ベッド（６）の上を転がして敷き詰めていき、前記の要領で介護患者（７）を動かして、ロールアタッチメント（１２）のアームを反対側に回転させて倒し、再び介護ロール（５）をさらに先に転がしていき、介護ロールを元のスタートした、置き場所のベッド脇に収めてセットし、介護用シート（４）の交換が終了する。
本発明は以上のような構成よりなる、介護用シートおよびシート交換方法である。
【発明の効果】
【０００９】  本発明の介護用シート（４）は、機能担持膜（２）の強い遠赤外線放射エネルギーを積極的に放射するので、通常のベッドシートでは得られない、介護患者の体に対しての血行増進効果が得られる。また、不織布の持つ吸汗作用に併せて、強い抗菌作用と消臭機能があるので、利用者の発汗作用があっても極めて衛生的である。
さらには、マイナスイオンを強力に発生する、機能担持膜（２）を形成したものを、使用することができるので、介護患者にとっては、より付加価値の高い、健康効果の恩恵を受けることができる。さらに、特別の介護ロール（５）を利用するので、介護患者には苦痛になる移動も無く、介抱する人にも重労働の負担が無くなり、簡単且つ衛生的にシート交換ができる。
【発明を実施するための最良の形態】
【００１０】  本発明は、高放射遠赤外線を放射する８５％以上の遠赤外線放射率を有する天然鉱石および金属酸化物の微粉末と銀ゼオライトを配合した樹脂系塗料を、ポリエチレンフイルム（３）を設けた、シート状の不織布（１）の片面全表面に塗布して、この部分を機能担持膜（２）として設ける。このシート状の不織布（１）に担持する機能性塗料の成分構成は塗料の樹脂系・アルコキシ金属塩系と分散剤と抗菌剤・銀ゼオライトが５％〜１０％、金属酸化物・添加物・遠赤外線放射物質、前記天然鉱石粉末が１５％〜２５％である。あるいは、上記配分構成で、塗料の樹脂系・水性金属塩系と分散剤の水を使用したものが良い。この塗布方法は、エアースプレー法やロールコーター法で行う。【００１１】  またさらには、ポリエチレンフイルム（３）を設けた、シート状の不織布（１）の片面全表面を、樹脂系塗料に１５〜２０％の天然ラジウム鉱石微粉末と銀ゼオライトを配合したものを塗布して、機能担持膜（２）を設けると、強力なマイナスイオンを発生させることができるので、これを使用したものは、より付加価値の高い健康効果を介護患者に提供することができる。【００１２】  ここで効果の中心となる、８５％以上の遠赤外線放射率を有する天然鉱石および金属酸化物は、それ自体が放つ強力な遠赤外線効果は理想的であり、遠赤外線は物に当たることによって、その分子を振動させて熱を発生させる性質をもち、それは伝導（接触）および、対流といった熱伝導と比べて、速熱性と均熱性という点で極めて優れている。さらに遠赤外線の熱は空気または熱風といった熱媒体は使わなくても、遠赤外線の熱エネルギー（水分子振動エネルギー）は介護患者の芯まで到達するので、さまざまな疲労、神経痛等およびその他健康的に極めて効果がある。いろいろ検証実験の結果、天然鉱石等の高千穂美向石を微粉砕化処理して粉末にするが、粉末の粒子径は０．５μｍ〜１０μｍが、ベストであり、遠赤外線放射率が８５％以上の天然鉱石類および金属酸化物を積極的に使用する。【００１３】  さらに本発明によれば、大量にマイナスイオンを発生させる天然ラジウム鉱石は世界各地に存在するが、日本においても有馬温泉や三朝温泉、玉川温泉、二股温泉等がある。これらのラジウム鉱石は一定量の放射線量を保持している、つまりγ線、β線、α線がそれである。学会等では一定量以下の放射線量とマイナスイオン生成は人体へのホルミシス効果による細胞活性が有効であることが提唱されている。いろいろ検証実験の結果、これらの天然ラジウム鉱石の粉末粒子径は０．５μｍ〜１０μｍがよろしい。
本発明は以上のような構成であり、特に本発明の原材料とする天然鉱石類の中でも、高千穂美向石を積極的に使用するのは、遠赤外線放射率が９３％と圧倒的に高い事と、５μ〜２０μの広い波長領域を持っていることで、水分を活性化する作用があり、酸化劣化を防ぐ、細胞賦活作用、消臭作用等が高いことなどが実証されている。【００１４】  さらに、本発明の不織布表面に機能担持膜（２）が形成されるが、この塗膜の表面の形状がドーム状に盛られるために、実質的に塗膜表面積が広くなるので、より遠赤外線放射率もより大きくなる特徴が見られた。
また利用方法は、普段は介護ロール（５）と保管ロール（９）はベッドおよび介護用シート（４）を間にして、左右のベッド脇サイドに置かれており、介護ロール（５）を取り出して、ロールアタッチメント（１２）を使用して、図１から図６のごとくシート交換を行う。【００１５】  ここで遠赤外線放射率８５％以上の天然鉱石は、天然ラジウム、トルマリン、医王石、貴陽石、ホルンヘルス、隕石、黒曜石、麦飯石、御影石、竜王石、光明石、黄土、溶岩絹雲母、紫水晶、生光石、蛇紋石、美向石、ブラックシリカ鉱石（神光石・黒鉛珪石）三仙石赤、三仙石膏、黒点花蛇紋石、石英変岩石等から選択されるものである。
また遠赤外線放射率８５％以上の金属酸化物は、酸化ニッケル、酸化鉄、酸化クロム二酸化マンガン、酸化アルミニウム、酸化ジルコニウム、シリカ又は酸化マグネシウム等から選択されるものである。【００１６】  さらに、適用する塗料としては、無機系塗料と有機系塗料の２種類に大別されるが無機系塗料として、アルコキシ金属塩系塗料、水性金属塩系塗料、または無機物を主体として、これに有機物をハイブリッドした、変性シリコン樹脂塗料からなるものである。また有機系塗料としては、オレフィン系樹脂、塩化ビニル系樹脂、ポリウレタン系樹脂、アクリル系樹脂、ポリエステル系樹脂、ポリアミド系樹脂、エポキシ系樹脂、フェノール樹脂、ポリスチレン系樹脂、メラミン系樹脂、尿素系樹脂などの熱可塑性樹脂や熱硬化性樹脂のほか、熱可塑性エラストマー等からなるものである。
以下、本発明の介護用シート（４）の性能評価結果、塗料塗布による担持方法等を表１、表２、表３、表４、表５、表６、表７、表８により示す。【００１７】
【表１】
2007236900.tif 000003
【００１８】
【表２】
2007236900.tif 000004
【００１９】
【表３】
2007236900.tif 000005
【００２０】
【表４】
2007236900.tif 000006
【００２１】
【表５】
2007236900.tif 000007
【００２２】
【表６】
2007236900.tif 000008
【００２３】
【表７】
2007236900.tif 000009
【００２４】
【表８】
2007236900.tif 000010
【００２５】  次に、このように形成された介護用シート（４）の実施形態を説明する。このシートをさらにロール状に巻いて、保管ロール（９）として形成し、この保管ロール（９）をベッド（６）の脇の適当なる位置にセットして、さらにこの保管ロール（９）から介護用シート（４）を引き出して、柔らかい素材で介護患者の体重で簡単に潰れるが、体重から解放されるとすぐにパイプ状に復元する、原型復元軟質パイプバー（８）を芯にして、必要な量だけをロールに巻いて、介護ロール（５）を形成して設ける。この状態は保管ロール（９）から介護用シート（４）を引き出して、もう一つの介護ロール（５）につながってロール状に巻かれた、介護ロール（５）がベット（６）の長手方向に沿うて、つまり介護患者に平行に、端に置かれた状態でスタンバイしているのである。【００２６】  そして、新規シートは、この介護ロール（５）をベッド（６）の上でロールアタッチメント（１２）をセットして、ベッド（６）の上でロールを転がしながらシートを広げていき、ベッド（６）にシートを敷き詰める。この介護ロール（５）は普段は保  管ロール（９）の反対側ベッド脇にセットし、ロールアタッチメント（１２）はベット（６）の下にでも置いて、このシートの上に介護患者（７）を寝かせるのである。【００２７】  さらにシート交換の際には、汚れた介護用シート（４）に、ロールアタッチメント（１２）をセットして、手で押しながら、介護ロール（５）で巻き取っていき、つまり介護ロール（５）に巻いて行くと云う事は、寝てる介護患者（７）にロールが近づいていき、寝てる介護患者のそばに来たらロール巻を止めて患者で止める、そして患者は寝たままで肩を下にして真横に立てて起こし、介護ロール（５）を少し巻いてその脇で止める、そして横に立てた介護患者（７）を背中から元の状態に戻す、この時に介護ロール（５）は介護患者の体重に乗られて柔らかいので患者の背中でつぶれた状態になる。またこの時には、ロールアタッチメント（１２）のアームを患者の上を回転させて反対側に倒されるのである。再度、介護患者（７）を今度は反対側の肩を下にして、同じ要領で横に立てて、ロールを患者に乗られていた状態から解放して、介護ロール（５）を引出してやると、つぶれていたロールが元に復元する。そして患者を元に寝かして、そして、患者を通過したロールをさらに巻き取って先に進めていき、汚れたシートを巻き取って、ベッドの端に来たら、ロールアタッチメント（１２）を止めて、ここで新規の保管ロール（９）より介護用シート（４）を、手巻きでここまで来た介護用ロール（５）の上から、新規の新しいシートを必要量巻き取る。この状態は使用済みシートの上に、さらに巻いていく状態を指す。そして再び介護患者（７）が寝てる方向へ、ロールアタッチメント（１２）で押しながら戻って、ベッド（６）の上を転がして敷き詰めていき、前記の要領で介護患者（７）を動かして、ロールアタッチメント（１２）のアームを反対側に回転させて倒し、再び介護ロール（５）をさらに先に転がしていき、介護ロールを元のスタートした、置き場所のベッド脇に収めてセットし、介護用シート（４）の交換が終了する。このように古い使用済みのシートは、介護ロ���ル（５）に次第に大きくまかれていき、保管ロール（９）の新規シートが無くなった時点で、最後に破棄さされるのである。【００２８】
【表９】
2007236900.tif 000011
【００２９】
【表１０】
2007236900.tif 000012
【図面の簡単な説明】
【００３０】
【図１】  本発明の実施図である。
【図２】  本発明の実施基本図である。
【図３】  本発明の介護ロール敷き始めの説明図ある。
【図４】  本発明の介護患者を横に起こした状態の説明図である。
【図５】  本発明の介護患者を寝かした状態の説明図である。
【図６】  本発明の介護ロールを通過させた状態の説明図である。
【図７】  本発明の遠赤外線放射の説明図である。
【図８】  本発明の介護用シートの遠赤外線放射の構成図である。
【図９】  本発明のマイナスイオン放射の説明図である。
【図１０】  本発明の介護用シートのマイナスイオン放射の構成図である。
【図１１】  本発明のロールアタッチメント取付説明図である。
【符号の説明】
【００３１】  １  シート状の不織布
２  機能担持膜
３  ポリエチレンフイルム
４  介護用シート
５  介護ロール
６  ベッド
７  介護患者
８  原型復元軟質パイプバー
９  保管ロール
１０  マイナスイオン
１１  遠赤外線
１２  ロールアタッチメント
【図１】
2007236900.tif 000013
【図２】
2007236900.tif 000014
【図３】
2007236900.tif 000015
【図４】
2007236900.tif 000016
【図５】
2007236900.tif 000017
【図６】
2007236900.tif 000018
【図７】
2007236900.tif 000019
【図８】
2007236900.tif 000020
【図９】
2007236900.tif 000021
【図１０】
2007236900.tif 000022
【図１１】
2007236900.tif 000023